(57)【特許請求の範囲】
【請求項１】
軒裏に固定される軒天板において外壁と対向する端縁に沿って取り付けられる軒天見切縁の取付構造であって、
前記外壁と対向する側における軒天板の端部に見切縁取付部材が設けられ、
前記見切縁取付部材は、前記外壁と対向する側面部、当該側面部の上端及び下端から屈曲して反外壁側に延びる上面部及び下面部を有し、
前記上面部及び前記下面部によって前記軒天板を挟む位置関係に配置されることにより、前記見切縁取付部材が前記軒天板に対して前記外壁に近づく側への移動が可能とされ、
さらに、前記上面部と前記下面部の反外壁側の端部との間隔が弾性変形により広げられた状態で、前記軒天見切縁が前記軒天板と前記下面部との間に挿入されることにより、前記弾性変形の復元力を利用して、前記下面部と前記軒天板との間で前記軒天板に対して前記軒天見切縁を前記外壁に近づく側への移動が可能とされた状態で挟持されていることを特徴とする軒天見切縁の取付構造。
【請求項２】
前記軒天見切縁を係止する部位における前記上面部と前記下面部との弾性変形されていない自然状態での間隔は、前記軒天板の板厚と前記軒天見切縁の厚みとの和よりも小さいことを特徴とする請求項１に記載の軒天見切縁の取付構造。
【請求項３】
前記軒天見切縁は、前記軒天板と前記見切縁取付部材の前記下面部との間に挟持される第１板部と、当該第１板部の反外壁側端部から前記見切縁取付部材を覆い隠すようにして前記外壁側に延び、前記外壁と当接する第２板部とからなることを特徴とする請求項１又は２に記載の軒天見切縁の取付構造。
【請求項４】
軒裏に固定される軒天板において外壁と対向する端縁に沿って取り付けられる軒天見切縁の取付構造であって、
前記外壁と対向する側における軒天板の端部に見切縁取付部材が設けられ、
前記見切縁取付部材は、前記外壁と対向する側面部、当該側面部の上端及び下端から屈曲して反外壁側に延びる上面部及び下面部を有し、
前記下面部は、第１下面部、第２下面部及び第３下面部から構成され、前記第１下面部は前記側面部の下端から反外壁側の斜め下方に張り出し、前記第２下面部は前記第１下面部の先端から反外壁側の斜め上方に張り出し、前記第３下面部は前記第２下面部の先端から反外壁側の斜め下方に張り出して形成され、
前記上面部及び前記下面部によって前記軒天板を挟む位置関係に配置されることにより、前記見切縁取付部材が前記軒天板に対して前記外壁に近づく側への移動が可能とされ、
さらに、前記軒天見切縁が、前記第３下面部側から前記第１下面部及び第２下面部の境界部と前記軒天板との間に挿入されることにより、前記下面部と前記軒天板との間で前記軒天板に対して前記軒天見切縁を前記外壁に近づく側への移動が可能とされた状態で挟持され、
前記軒天見切縁を係止する部位における前記上面部と前記下面部との弾性変形されていない自然状態での間隔は、前記軒天板の板厚と前記軒天見切縁の厚みとの和よりも小さいことを特徴とする軒天見切縁の取付構造。
【請求項５】
軒裏に固定される軒天板において外壁と対向する端縁に沿って取り付けられる軒天見切縁の取付構造であって、
前記外壁と対向する側における軒天板の端部に見切縁取付部材が設けられ、
前記見切縁取付部材は、前記外壁と対向する側面部、当該側面部の上端及び下端から屈曲して反外壁側に延びる上面部及び下面部を有し、
前記下面部は、第１下面部、第２下面部及び第３下面部から構成され、前記第１下面部は前記側面部の下端から反外壁側の斜め下方に張り出し、前記第２下面部は前記第１下面部の先端から反外壁側の斜め上方に張り出し、前記第３下面部は前記第２下面部の先端から反外壁側の斜め下方に張り出して形成され、
前記上面部及び前記下面部によって前記軒天板を挟む位置関係に配置されることにより、前記見切縁取付部材が前記軒天板に対して前記外壁に近づく側への移動が可能とされ、
さらに、前記軒天見切縁が、前記第３下面部側から前記第１下面部及び第２下面部の境界部と前記軒天板との間に挿入されることにより、前記下面部と前記軒天板との間で前記軒天板に対して前記軒天見切縁を前記外壁に近づく側への移動が可能とされた状態で挟持され、
前記軒天見切縁は、前記軒天板と前記見切縁取付部材の前記下面部との間に挟持される第１板部と、当該第１板部の反外壁側端部から前記見切縁取付部材を覆い隠すようにして前記外壁側に延び、前記外壁と当接する第２板部とからなることを特徴とする軒天見切縁の取付構造。
【請求項６】
前記軒天見切縁を前記外壁に近づく側への移動が可能とされた状態で、前記軒天見切縁を外壁側に移動していき、前記軒天見切縁の側面部と前記見切縁取付部材の前記第３下面部の端部とが当接した後に、さらに前記軒天見切縁を移動していくと、前記見切縁取付部材も前記軒天見切縁とともに移動可能であることを特徴とする請求項４又は５に記載の軒天見切縁の取付構造。
【請求項７】
前記軒天見切縁を係止する部位における前記上面部と前記下面部との弾性変形されていない自然状態での間隔は、前記軒天板の板厚と前記軒天見切縁の厚みとの和よりも小さいことを特徴とする請求項５に記載の軒天見切縁の取付構造。
【請求項８】
前記軒天見切縁を前記外壁に近づく側への移動が可能とされた状態で、前記軒天見切縁を外壁側に移動していき、前記軒天見切縁の側面部と前記見切縁取付部材の前記第３下面部の端部とが当接した後に、さらに前記軒天見切縁を移動していくと、前記見切縁取付部材も前記軒天見切縁とともに移動可能であることを特徴とする請求項７に記載の軒天見切縁の取付構造。
【発明の詳細な説明】
【技術分野】
【０００１】
本発明は、軒天板の端縁に沿って取付けられる軒天見切縁の取付構造に関する。
【背景技術】
【０００２】
一般的に、建物の躯体から突出する軒の裏面側には、軒天板が固定されている。そして、軒天板を軒の裏面側に固定する際には、軒先の鼻先板側で軒天板端部の位置合わせをして固定するのが一般的である。そのため、建物の外壁と軒天板との間にわずかな隙間が生じる場合がある。また、軒天板に寸法誤差がある場合を考慮すると、この隙間の大きさは一定ではない。このような隙間を生じた軒天板の見切部分は外観上好ましくないため、軒天板の見切部分を隠す軒天見切縁を用いることが一般的に行われている。軒天板の見切部分に軒天見切縁を取り付ける構造としては、例えば特許文献１及び特許文献２に記載のものが知られている。
【０００３】
特許文献１に記載のものでは、軒天見切縁の取付部材が予め外壁の所定位置に固定され、その取付部材に断面コの字状の長尺状の軒天見切縁が取り付けられている。そして、軒天板が軒天見切縁におけるコの字断面の開口側から差し込まれている。また、特許文献２に記載のものでは、軒天板を軒の裏面側に固定した後、軒天板下側面における外壁側端部の所定位置に軒天見切縁の取付部材がねじ止めされている。そして、この取付部材に軒天見切縁が嵌合されている。上記特許文献１及び特許文献２の記載の技術により、建物の外壁と軒天との間に生じる隙間を隠し、外観上の見栄えを向上させることが可能となる。
【０００４】
しかし、特許文献１に記載の技術では、予め外壁に固定される取付部材の高さ方向の正確な位置出しが不可欠であり、施工が容易ではない。また、この技術は、軒天見切縁が外壁に固定された後に、軒天見切縁におけるコの字断面の開口側から軒天板を差し込む構造である。すなわち、軒天板の軒天見切縁への差込方向が外壁の正面方向からに限定されている。そのため、外壁が対向しているような部位については、対向している外壁にそれぞれ固定された軒天見切縁の開口側から軒天板の両端を差し込むことができず、このような部位への適用は実際上困難である。
【０００５】
特許文献２に記載の技術においても、取付部材の水平方向の固定位置が不正確であると軒天見切縁と外壁との間に隙間が生じることとなるため、取付部材の水平方向の正確な位置出しが不可欠である。特に、軒天板を固定した後における軒天板と外壁との隅部での上向きでのねじ止め作業であるため、作業性が悪く、取付部材の取付位置の精度を出すことが難しい。
【特許文献１】特開平１１−２５６７５４号公報
【特許文献２】特開平８−３３３８８２号公報
【発明の開示】
【発明が解決しようとする課題】
【０００６】
本発明は、上記問題に鑑みなされたものであり、施工が容易な軒天見切縁の取付構造を提供することを主たる目的とするものである。
【課題を解決するための手段】
【０００７】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００８】
本発明において、軒天見切縁（軒天見切縁３０）は、軒裏に固定される軒天板（軒天板１１）において外壁（外壁１３）と対向する端縁に沿って取り付けられるものである。そして、その取付構造は、前記外壁と対向する側における軒天板の端部に見切縁取付部材（見切縁取付部材２０）を設け、前記見切縁取付部材の反外壁側端部を自由端とするとともに、前記軒天見切縁を前記見切縁取付部材の反外壁側端部に係止することを特徴としている。
【０００９】
これによると、軒天見切縁は見切縁取付部材の反外壁側端部に係止されて、軒天板に取り付けられている。これにより、簡易に軒天見切縁を取り付けることが可能となり、施工が容易になる。また、軒天見切縁を取り付けるための見切縁取付部材は、軒天板の端部に取り付けられている。これにより、見切縁取付部材を外壁に固定する場合のような高さ方向の位置出しの精度は要求されない。また、軒天見切縁が見切縁取付部材の反外壁側端部に係止されている構成である。このため、軒天見切縁が係止された状態で、軒天見切縁を軒天板に沿って外壁方向へ移動させることが可能である。これにより、軒天見切縁を移動させて軒天見切縁の軒天板に沿った位置を調整できるので、見切縁取付部材の水平方向の位置出しの精度は要求されない。この結果、高さ及び水平の両方向において位置出しの精度が要求されないので、施工が容易になる。
【００１０】
前記見切縁取付部材は、前記外壁と対向する側面部（側面板部２１）、当該側面部の上端及び下端から屈曲して反外壁側に延びる上面部（上面板部２２）及び下面部（下面板部２３）を有し、前記上面部を前記軒天板の上面に係合させるとともに、前記軒天見切縁を前記下面部に係止することが好ましい。これによると、見切縁取付部材の上面部が軒天板の上面に係合するとともに、軒天見切縁は見切縁取付部材の下面部に係止している。これにより、見切縁取付部材の軒天板への取り付け及び軒天見切縁の見切縁取付部材への取り付けがともに容易となる。
【００１１】
なお、前記軒天見切縁を係止する部位における前記上面部と前記下面部との自然状態での間隔は、前記軒天板の板厚と前記軒天見切縁の厚みとの和よりも小さいことが好ましい。これによると、見切縁取付部材はその上面部が軒天板の上面に係合するとともに、軒天見切縁は見切縁取付部材と軒天板との間で挟持されることとなる。この結果、特別な工具なしに三者を一体化することが可能となり、施工がより容易となる。
【００１２】
前記軒天見切縁は、前記見切縁取付部材に係止される第１板部（上面板部３２）と、当該第１板部の反外壁側端部から前記見切縁取付部材を覆い隠すようにして前記外壁側に延び、前記外壁と当接する第２板部（側面板部３１、下面板部３３）とからなることが好ましい。これにより、軒天見切縁により見切縁取付部材及び軒天板の見切部分を覆い隠すことが可能になり、軒天板の見切部分における見栄えをよくすることが可能となる。
【００１３】
また、本発明における軒天見切縁（軒天見切縁３０）の取付構造は、前記外壁と対向する側における軒天板の端部に見切縁取付部材（見切縁取付部材２０）を設け、前記見切縁取付部材の反外壁側端部を自由端とするとともに、前記軒天見切縁を前記見切縁取付部材の反外壁側端部と前記軒天板との間で挟持することを特徴としている。
【００１４】
これによると、軒天見切縁は見切縁取付部材の反外壁側端部と軒天板との間で挟持されて、軒天板に取り付けられている。すなわち、クギ、ビス等の特別の固定手段を用いることなく、軒天見切縁が軒天板に取り付けられている。これにより、特別の工具等を用いることなく軒天見切縁を軒天板に取り付けることが可能となり、施工が容易になる。
【００１５】
また、軒天見切縁を取り付けるための見切縁取付部材は、軒天板の端部に取り付けられている。これにより、見切縁取付部材を外壁に固定する場合のような高さ方向の位置出しの精度は要求されない。また、軒天見切縁が見切縁取付部材の反外壁側端部と軒天板との間で挟持されている構成である。このため、軒天見切縁が挟持された状態で、軒天見切縁を軒天板に沿って外壁方向へ移動させることが可能である。これにより、軒天見切縁を移動させて軒天見切縁の軒天板に沿った位置を調整できるので、見切縁取付部材の水平方向の位置出しの精度は要求されない。この結果、高さ及び水平の両方向において位置出しの精度が要求されないので、施工が容易になる。
【００１６】
前記見切縁取付部材は、前記外壁と対向する側面部（側面板部２１）、当該側面部の上端及び下端から屈曲して反外壁側に延びる上面部（上面板部２２）及び下面部（下面板部２３）を有し、前記上面部を前記軒天板の上面に係合させるとともに、前記下面部と前記軒天板との間で前記軒天見切縁を挟持することが好ましい。これによると、見切縁取付部材の上面部を軒天板の上面に係合させるとともに、見切縁取付部材の下面部と軒天板との間に軒天見切縁を挟持して、三者が一体化されている。これにより、特別な工具等を用いることなく、見切縁取付部材及び軒天見切縁を軒天板に取り付けることができ、施工がより容易となる。
【００１７】
なお、特別な工具なしに三者を一体化させるための構成としては、例えば、前記軒天見切縁を挟持する部位における前記上面部と前記下面部との自然状態での間隔は、前記軒天板の板厚と前記軒天見切縁の厚みとの和よりも小さくするとよい。
【００１８】
前記見切縁取付部材の下面部は、反外壁側端部において反外壁側の斜め下方に張り出す傾斜部（第３下面板部２６）を有することが好ましい。これにより、軒天見切縁を見切縁取付部材の下面部と軒天板との間に挿入して配置する場合に、軒天見切縁の傾斜部の上面に沿わせながら行うことができる。これにより、見切縁取付部材の下面部と軒天板との間に軒天見切縁を挿入することが容易となる。
【００１９】
前記軒天板に対して移動可能に前記見切縁取付部材を取り付けることが好ましい。見切縁取付部材が軒天板に移動できない状態で固定されていると、見切縁取付部材に軒天見切縁が係止されている状態又は軒天板と見切縁取付部材との間で軒天見切縁が挟持されている状態で、この軒天見切縁を外壁方向へ移動させる場合に制限が生じうる。そのため、仮に軒天板と外壁との隙間が大きいと、軒天見切縁を外壁まで寄せきれない場合が生じる。この点、上記構成によれば、軒天見切縁の移動とともに、見切縁取付部材も移動させることができるので、軒天見切縁を外壁方向へ移動させる場合の制限が生じにくい。この結果、軒天板と外壁との隙間が大きい場合であっても、軒天板を外壁まで寄せることが可能となる。
【００２０】
前記軒天見切縁は、前記軒天板と前記見切縁取付部材との間に挟持される第１板部（上面板部３２）と、当該第１板部の反外壁側端部から前記見切縁取付部材を覆い隠すようにして前記外壁側に延び、前記外壁と当接する第２板部（側面板部３１、下面板部３３）とからなることが好ましい。これにより、軒天見切縁により見切縁取付部材及び軒天板の見切部分を覆い隠すことが可能になり、軒天板の見切部分における見栄えをよくすることが可能となる。
【００２１】
前記第２板部の外壁側端部から屈曲して延びる第３板部（立上部３４）を有し、前記第１板部は前記軒天板と面で当接するとともに、前記第３板部は前記外壁と面で当接することが好ましい。これによると、第１板部は軒天板と面で当接し、第３板部は外壁と面で当接している。このように、異なる２方向の面で軒天見切縁が当接することにより、軒天見切縁の取り付け状態を安定化させることができる。
【００２２】
前記軒天見切縁の第２板部に、換気孔（換気孔１３５）を形成することが好ましい。これにより、軒天板の上方の空間である軒天裏空間の換気を行うことが可能となる。
【００２３】
本発明の軒天見切縁の取付構造を入隅部又は出隅部を形成する外壁を有する軒裏に適用する場合には、前記外壁と対向する側における前記軒天板端縁の直線部に長尺状の前記軒天見切縁（軒天見切縁３０）を配置するとともに、前記外壁の入隅部又は出隅部と対向する側における前記軒天板端縁に略Ｌ字状の軒天見切縁（軒天見切縁４０）を配置することが好ましい。長尺状の軒天見切縁と略Ｌ字状の軒天見切縁とを併せて用いることにより、軒裏の入隅部及び出隅部においても上記と同様の構造で軒天見切縁を取付けることが可能となる。
【００２４】
前記長尺状の軒天見切縁と前記略Ｌ字状の軒天見切縁とを、一方の前記軒天見切縁の一端に他方の前記軒天見切縁の一端を挿入することにより接続することが好ましい。これにより、特別な工具等を用いることなく両者を一体化することができ、施工も容易である。
【００２５】
前記略Ｌ字状の軒天見切縁の両端部にそれぞれ、前記長尺状の軒天見切縁の端部を挿入して接続することが好ましい。これによると、略Ｌ字状の軒天見切縁が外側、長尺状の軒天見切縁が内側となるように両者が接続されている。これにより、長尺状の軒天見切縁の略Ｌ字状の軒天見切縁への挿入長さを変えても、略Ｌ字状の軒天見切縁における直線部分の外観上の長さは変化しない。この結果、入隅部又は出隅部に配置されている略Ｌ字状の軒天見切縁における両直線部分の外観上の長さを保つことができ、見栄えをよくすることができる。
【００２６】
前記長尺状の軒天見切縁の取付位置にのみ前記見切縁取付部材を設置し、前記略Ｌ字状の軒天見切縁の取付位置には前記見切縁取付部材を設置しないことが好ましい。これによると、略Ｌ字状の軒天見切縁は見切縁取付部材に取り付けられていない。これにより、Ｌ字状の軒天見切縁の端部内に長尺状の軒天見切縁の端部が挿入された状態で、Ｌ字状の軒天見切縁をスライド移動させることが可能となり、施工性が向上する。
【発明を実施するための最良の形態】
【００２７】
［第１実施形態］
以下、本発明を具体化した第１の実施形態を図面に基づいて説明する。図１は、本実施形態に係る建物における軒天板の取付構造を概略的に示す断面図である。図２は、図１における軒天板の見切部分を軒の下方から見た一部分解斜視図である。図３は、図１における軒天板の見切部分の拡大図である。図４（ａ）から（ｄ）は軒天見切縁を軒天板の見切部分に取り付ける際の施工手順を概念的に示す断面図である。そして、図５は見切縁取付部材が取り付けられた軒天板を外壁が対向する軒裏に固定した状態を概略的に示す断面図である。
【００２８】
軒天板１１は、建物の屋根１２の端部において、外壁１３から屋外側へ持ち出された軒の下面（軒裏）に固定されている。この点につき詳述すると、屋根１２を支えている垂木１４の先端部には鼻先板１５が固定されている。また、屋根１２を支える垂木１４の下方には、野縁１６が外壁１３と平行に取り付けられている。そして、鼻先板１５及び野縁１６の下側に、軒天板１１がクギ等で固定されている。軒天板１１を軒裏に固定するに際しては、鼻先板１５側において軒天板１１端部の位置合わせが行われ、その後、鼻先板１５及び野縁１６の下側に軒天板１１が固定される。
【００２９】
外壁１３と対向する側における軒天板１１の端縁には、塩ビ鋼板製の見切縁取付部材２０及び軒天見切縁３０が取り付けられている。上述のように、軒天板１１は鼻先板１５側で位置合わせをして軒裏に取り付けられている。そのため、軒天板１１の見切部分と外壁１３との間には、わずかに隙間を生じる場合がある。軒天見切縁３０はこの隙間を隠して軒天板１１の見切部分の見栄えを良くするために用いられるものである。
【００３０】
次に、見切縁取付部材２０及び軒天見切縁３０の軒天板１１への取付構造について説明する。図２に示されるように、見切縁取付部材２０は、外壁１３と対向する側における軒天板１１の端縁において、所定間隔で複数個設けられている。一方、軒天見切縁３０は、外壁１３に対し横方向に延びる長尺材である。具体的には、見切縁取付部材２０は約５０ｃｍ間隔に設けられている。また、軒天見切縁３０は約３００ｃｍを上限としてそれより短い長さ（例えば２５０ｃｍ）に形成されている。
【００３１】
図３に示されるように、見切縁取付部材２０は、外壁１３に対して平行面を形成する側面板部２１、側面板部２１の上下端から屈曲して張り出す上面板部２２及び下面板部２３から構成されている。下面板部２３はさらに、第１下面板部２４、第２下面板部２５及び第３下面板部２６から構成されている。上面板部２２は側面板部２１の上端から水平に張り出している。一方、下面板部２３については、第１下面板部２４は側面板部２１下端から外壁１３と反対側の斜め下方に張り出し、第２下面板部２５は第１下面板部２４の先端から外壁１３と反対側の斜め上方に張り出し、第３下面板部２６は第２下面板部２５の先端から外壁１３と反対側の斜め下方に張り出している。
【００３２】
軒天見切縁３０は、外壁１３に対して平行面を形成する側面板部３１、側面板部３１の上下端から水平に屈曲して張り出す上面板部３２及び下面板部３３、下面板部３３の端部から垂直上方に屈曲して張り出す立上部３４から形成されている。これら見切縁取付部材２０及び軒天見切縁３０は、所定の大きさに切断された１枚の塩ビ鋼板を折り曲げ加工することにより形成されている。
【００３３】
軒天板１１と軒天見切縁３０の上面板部３２とは、見切縁取付部材２０の上面板部２２と下面板部２３との間で挟持されている。また、軒天見切縁３０の側面板部３１における外壁１３側面は見切縁取付部材２０の第３下面板部２６端部に当接し、軒天見切縁３０の下面板部３３は見切縁取付部材の下方に配置され、軒天見切縁３０の立上部３４は外壁１３に面で当接している。これにより、見切縁取付部材２０の下面板部２３は軒天見切縁３０の上面板部３２と下面板部３３との間の空間に収容された状態となっている。また、軒天見切縁３０により、見切縁取付部材２０と軒天板１１の見切部分とが覆い隠された状態となっている。
【００３４】
この点について、寸法を例示しながら説明する。見切縁取付部材２０の第２及び第３下面板部２５，２６間の屈曲部先端と上面板部２２との間の内寸法は、自然状態において１５．２ｍｍに形成されている。一方、軒天板１１は板厚１５ｍｍのものが用いられている。したがって、見切縁取付部材２０の上面板部２２と下面板部２３との間に軒天板１１のみが配置された状態においては、見切縁取付部材２０の上面板部２２と下面板部２３との空間は軒天板１１のみでは満たされずわずかな隙間が存在している。したがって、この状態においては、軒天板１１は見切縁取付部材２０に挟持されない。一方、軒天見切縁３０を形成している塩ビ鋼板は板厚４ｍｍのものが用いられている。そのため、軒天板１１及び軒天見切縁３０の上面板部３２がともに見切縁取付部材２０の上面板部２２と下面板部２３との間に配置された状態においては、見切縁取付部材２０の上面板部２２と下面板部２３との間隔が広げられ、塩ビ鋼板製の見切縁取付部材２０が弾性変形した状態となっている。その結果、弾性変形による復元力により、見切縁取付部材２０の上面板部２２と下面板部２３との間で、軒天板１１及び軒天見切縁３０の上面板部３２が挟持された状態となっている。
【００３５】
なお、軒天見切縁３０は、その上面板部３２が軒天板１１と見切縁取付部材２０の下面板部２３との間で挟持されることにより軒天板１１の下側に取付けられている。また、見切縁取付部材２０も、それ自身の弾性変形による復元力で、軒天板１１と軒天見切縁３０の上面板部３２とを挟持することにより、軒天板１１に取付けられている。すなわち、軒天板１１に見切縁取付部材２０及び軒天見切縁３０を取付ける際には、ビス、クギ等の他の固定手段は用いられていない。
【００３６】
見切縁取付部材２０における下面板部２３の水平方向の長さは２４ｍｍに形成されている。一方、軒天見切縁３０の側面板部３１の内側面と立上部３４の外側面との間の寸法は２５ｍｍに形成されている。これにより、軒天見切縁３０の上面板部３２が軒天板１１と見切縁取付部材２０の下面板部２３との間に挟持され、軒天見切縁３０の立上部３４が外壁１３に当接した状態において、軒天見切縁３０により見切縁取付部材２０及び軒天板１１の見切り部分が覆い隠された状態となっている。また、軒天見切縁３０の上面板部３２と下面板部との間の内寸法は、８ｍｍに形成され、見切縁取付部材２０の第２下面板部２５の高さは７ｍｍに形成されている。これにより、見切縁取付部材２０の下面板部２３が軒天見切縁３０の上面板部３２と下面板部との間の空間に収容された状態となっている。
【００３７】
次に、軒天見切縁３０を取り付ける際の施工手順について説明する。まず、図４（ａ）に示されるように、軒天板１１の端部に見切縁取付部材２０が取り付けられる（見切縁取付部材取付工程）。見切縁取付部材２０は、所定の間隔で複数個取り付けられる。なお、見切縁取付部材２０の第２及び第３下面板部２５，２６間の屈曲部先端と上面板部２２との間の内寸法は、自然状態において軒天板１１の板厚より大きく設定されている。そのため、見切縁取付部材取付工程後においては、軒天板１１の上面に見切縁取付部材２０の上面板部２２が載置された状態となっている。
【００３８】
次に、図４（ｂ）に示されるように、端部に見切縁取付部材２０が取り付けられた軒天板１１が、軒の下方から鼻先板１５及び野縁１６の下側面にクギ等で固定される（軒天板固定工程）。この際、軒天板１１は鼻先板１５の側で位置合わせがされる。
【００３９】
次に、図４（ｃ）に示されるように、軒天見切縁３０の上面板部３２端部が、見切縁取付部材２０の第３下面板部２６側から、軒天板１１と第２及び第３下面板部２５，２６間の屈曲部との間に挿入される（軒天見切縁取付工程）。この際には、斜め下方に張り出している第３下面板部２６の上面に沿って、軒天見切縁３０の上面板部３２端部を挿入することができる。これにより、軒天板１１下面と第２及び第３下面板部２５，２６間の屈曲部との間に軒天見切縁３０の上面板部３２を挿入することが容易になる。
【００４０】
最後に図４（ｄ）に示されるように、軒天見切縁３０を外壁１３側に移動する（軒天見切縁移動工程）。そして、軒天見切縁３０の立上部３４が外壁１３に当接する位置まで軒天見切縁３０を移動することにより、軒天見切縁３０の取り付けが完了する。なお、見切縁取付部材２０はその上面板部２２と下面板部２３との間に軒天板１１が挿入された状態となっているが、ビス等で軒天板１１に固定されてはいない。したがって、軒天見切縁３０を外壁１３側に移動していき、軒天見切縁３０の側面板部３１と見切縁取付部材２０の第３下面板部２６端部とが当接した後に、さらに軒天見切縁３０を移動していくと、見切縁取付部材２０も軒天見切縁３０とともに外壁１３側に移動することとなる。
【００４１】
以上詳述した本実施の形態は、以下の優れた効果を有する。本実施形態では、軒天板１１の見切部分に軒天見切縁３０が取り付けられている。そして、この軒天見切縁３０により、軒天板１１の見切部分を覆い隠している。これにより、軒天板１１の見切部分における見栄えを向上することが可能となる。
【００４２】
本実施形態では、見切縁取付部材２０及び軒天見切縁３０は、クギ、ビス等の特別な固定手段を用いることなく、軒天板１１に取り付けられている。すなわち、見切縁取付部材２０の上面板部２２及び下面板部２３間で、軒天見切縁３０の上面板部３２と軒天板１１とが挟持されることにより、三者が一体化されている。これにより、特別な工具等を用いることなく、見切縁取付部材２０及び軒天見切縁３０を軒天板１１に取り付けることができるので、施工が容易になる。
【００４３】
本実施形態では、軒天見切縁３０を取り付けるための見切縁取付部材２０は、軒天板１１の端部に取り付けられている。これにより、見切縁取付部材２０を外壁１３に固定する場合のような高さ方向の位置出しの精度は要求されない。また、本実施形態では、軒天見切縁３０の上面板部３２を軒天板１１と見切縁取付部材２０の下面板部２３との間に挿入した後、軒天見切縁３０を外壁１３に向けて水平方向に移動することにより軒天見切縁３０を取り付けている。このため、軒天見切縁３０の水平方向の移動で軒天見切縁３０の水平方向位置を調整できるので、見切縁取付部材２０の水平方向の位置出しの精度は要求されない。この結果、高さ及び水平の両方向において位置出しの精度が要求されないので、施工が容易になる。また、軒天見切縁３０を水平方向に移動することができるので、外壁１３との間に隙間が生じないように調整することが容易となり、軒天見切縁３０の見切部分における見栄えを向上することができる。
【００４４】
特に、本実施形態では、クギ、ビス等の特別な固定手段を用いることなく、見切縁取付部材２０の上面板部２２及び下面板部２３間で、軒天見切縁３０の上面板部３２と軒天板１１とが挟持されることにより、三者が一体化されている。すなわち、見切縁取付部材２０は、その下面板部２３と軒天板１１との間に軒天見切縁３０の上面板部３２が挟持された状態においても、移動可能となっている。これにより、軒天見切縁３０を外壁１３側に移動させる際に、見切縁取付部材２０も外壁１３側に移動させることが可能となる。この結果、軒天板１１と外壁１３との隙間が大きい場合であっても、軒天板１１を外壁１３まで寄せることが容易となる。
【００４５】
本実施形態では、軒天見切縁３０の上面板部３２が見切縁取付部材２０の下面板部２３と軒天板１１との間に挿入されて挟持されている。これにより、軒天見切縁３０と軒天板１１との間に隙間が生じにくく、軒天見切縁３０の取付部分における見栄えを向上することができる。
【００４６】
本実施形態では、見切縁取付部材２０の下面板部２３の水平方向の寸法よりも軒天見切縁３０の側面板部３１の内側面と立上部３４の外側面との間の寸法が大きく設定されている。これにより、軒天見切縁３０により見切縁取付部材２０及び軒天板１１の見切部分を覆い隠すことが可能となる。
【００４７】
本実施形態では、見切縁取付部材２０の上面板部２２と下面板部２３との間の自然状態における内寸法が軒天板１１の板厚よりも大きく設定されている。そして、軒天板１１の板厚と見切縁取付部材２０の上面板部２２の板厚とを足し合わせたものは、見切縁取付部材２０の上面板部２２と下面板部２３との間の自然状態における内寸法より大きく設定されている。すなわち、見切縁取付部材２０の上面板部２２と下面板部２３との間に軒天板１１のみが配置された状態においては、見切縁取付部材２０の上面板部２２と下面板部２３との空間は軒天板１１のみでは満たされずわずかな隙間が存在している。そのため、見切縁取付部材２０の下面板部２３と軒天板１１との間に軒天見切縁３０の上面板部３２端部を挿入することが容易となる。
【００４８】
一方、軒天見切縁３０の上面板部３２が見切縁取付部材２０の下面板部２３と軒天板１１との間に挿入された後は、見切縁取付部材２０の上面板部２２と下面板部２３との間が弾性変形することにより自然状態よりも広げられた状態となっている。そして、この弾性変形に対する復元力により、見切縁取付部材２０の上面板部２２及び下面板部２３間で軒天板１１及び軒天見切縁３０の上側面部が挟持されている。そのため、軒天見切縁３０の上面板部３２が見切縁取付部材２０の下面板部２３と軒天板１１との間に挿入された後は、軒天見切縁３０が落下することを抑止することができる。
【００４９】
本実施形態では、見切縁取付部材２０の第３下面板部２６は、第２下面板部２５の端部から外壁１３と反対側の斜め下方に張り出している。そのため、軒天見切縁３０の上面板部３２を見切縁取付部材２０の下面板部２３と軒天板１１との間に挿入する際、軒天見切縁３０の上面板部３２端部を第３下面板部２６の上面に沿わせながら行うことができる。これにより、見切縁取付部材２０の下面板部２３と軒天板１１との間に軒天見切縁３０の上面板部３２を挿入することが容易となる。
【００５０】
本実施形態では、軒天見切縁３０には、その下面板部３３における外壁１３側端部から垂直上方に屈曲して張り出す立上部３４が形成されている。そして、この立上部３４は、外壁１３と面で当接している。一方、軒天見切縁３０の上面板部３２は、軒天板１１と見切縁取付部材２０の下面板部２３との間で挟持されることにより、軒天板１１と水平方向の面で当接している。このように、異なる２方向の面で軒天見切縁３０が当接することにより、軒天見切縁３０の取り付け状態を安定化させることができる。
【００５１】
本実施形態では、軒天板１１に見切縁取付部材２０を所定間隔で複数個取り付け、それら複数個の見切縁取付部材２０で軒天見切縁３０が挟持されている。これにより、軒天見切縁３０の取り付け状態をより安定化することが可能となる。
【００５２】
本実施形態では、見切縁取付部材２０が取付けられた軒天板１１を軒裏に固定した後に、軒天見切縁３０が取り付けられている。そして、この際、軒天板１１の軒裏への取り付けは、下方向から行うことができる。そのため、例えば図５に示されるような外壁１３が対向するような部位についても適用が可能である。また、対向する外壁間にさらに外壁を含み、３つの連続した外壁を形成しているような場合においても適用が可能である。
【００５３】
［第２実施形態］
次に本発明を具体化した第２の実施形態について、図６から図８を用いて説明する。図６は第２実施形態に係る軒裏における下方からの斜視図である。図７は第２実施形態に係る軒天見切縁の一部分解斜視図である。そして、図８は、第２実施形態に係る軒天見切縁を取り付ける際の施工手順を概略的に示す図である。
【００５４】
本実施形態は、本発明の軒天見切縁３０の取付構造を建物軒裏の入隅部及び出隅部に適用したものである。図６に示されるように、本実施形態では、長尺状の軒天見切縁３０の他に、Ｌ字状の軒天見切縁４０も併用されている。外壁１３と直線状に対向している軒天板１１の端縁には、長尺状の軒天見切縁３０が配置されている。一方、外壁１３の入隅部及び出隅部と対向している軒天板１１の端縁には、Ｌ字状の軒天見切縁４０が配置されている。入隅部及び出隅部に用いられているＬ字状の軒天見切縁４０はその屈曲方向が異なる点を除いて同一であり、また、その施工手順も同等である。そのため、以下、建物軒裏の入隅部に軒天見切縁３０，４０を取り付ける場合について詳述する。
【００５５】
長尺状の軒天見切縁３０は第１実施形態で用いたものと同一である。一方、Ｌ字状の軒天見切縁４０の断面形状は長尺状の軒天見切縁３０と同一であるが、その寸法は長尺状の軒天見切縁３０の寸法よりも若干大きく形成されている。また、Ｌ字状の軒天見切縁４０の両直線部分は同一の長さに形成されている。
【００５６】
図７に示されるように、長尺状の軒天見切縁３０の端部は、Ｌ字状の軒天見切縁４０の一端側から挿入可能となっている。また、Ｌ字状の軒天見切縁４０は、その一端側から長尺状の軒天見切縁３０が挿入された状態で、スライド移動可能となっている。
【００５７】
次に、軒天見切縁３０を取り付ける際の施工手順について説明する。まず、軒天見切縁３０，４０が取り付けられる前に、見切縁取付部材取付工程、軒天板固定工程が行われるのは、第１実施形態と同様である。すなわち、軒天見切縁３０，４０が取付けられる前に、端縁に見切縁取付部材２０が取り付けられた軒天板１１が、軒の下方から鼻先板１５及び野縁１６に固定される。
【００５８】
その後、まず、Ｌ字状の軒天見切縁４０の一端に長尺状の軒天見切縁３０端部が挿入される（第１長尺状軒天見切縁挿入工程）。次に、図８（ａ）に示されるように、Ｌ字状の軒天見切縁４０の一端に長尺状の軒天見切縁３０端部が挿入され両者が一体化された状態（図８（ａ）の仮想線で示されている状態）で、長尺状の軒天見切縁３０の上面板部３２端部が、見切縁取付部材２０の第３下面板部２６端部側から挿入される（第１軒天見切縁取付工程）。そして、第１軒天見切縁取付工程で取付けられた軒天見切縁３０を外壁１３側に移動させる（第１軒天見切縁移動工程）。なお、見切縁取付部材２０は、軒天板１１端縁において、長尺状の軒天見切縁３０が配置される位置にのみ取り付けられている。そして、Ｌ字状の軒天見切縁４０が長尺状の軒天見切縁３０上をスライド移動しても、Ｌ字状の軒天見切縁４０が見切縁取付部材２０と接触しない配置とされている。次に、図８（ｂ）に示されように、Ｌ字状の軒天見切縁４０における第１長尺状軒天見切縁挿入工程で長尺状の軒天見切縁３０端部が挿入された側とは別の端部に、他の長尺状の軒天見切縁３０の一端が挿入される（第２長尺状軒天見切縁挿入工程）。
【００５９】
次に、図８（ｃ）に示されるように、第２長尺状軒天見切縁挿入工程で挿入された長尺状の軒天見切縁３０の上面板部３２端部が、見切縁取付部材２０の第３下面板部２６端部側から挿入される（第２軒天見切縁取付工程）。そして、第２軒天見切縁取付工程で取り付けられた軒天見切縁３０を外壁１３側に移動させる（第２軒天見切縁移動工程）。この際、第１長尺状軒天見切縁挿入工程で挿入された長尺状の軒天見切縁３０は、第１軒天見切縁移動工程後の位置のままである。一方、Ｌ字状の軒天見切縁４０は、第２長尺状軒天見切縁挿入工程で挿入された軒天見切縁３０と一体となって、第１長尺状軒天見切縁挿入工程で挿入された長尺状の軒天見切縁３０上をスライド移動する。なお、第２軒天見切縁取付工程において長尺状の軒天見切縁３０の上面板部３２端部が挿入される見切縁取付部材２０も、Ｌ字状の軒天見切縁４０と接触しない位置にのみ配置されている。
【００６０】
本実施形態では、長尺状の軒天見切縁３０の他にＬ字状の軒天見切縁４０も併せて用いられている。これにより、建物軒裏の入隅部及び出隅部においても第１実施形態と同様の構造で軒天見切縁３０を取付けることが可能となる。また、両軒天見切縁３０，４０は、長尺状の軒天見切縁３０の端部をＬ字状の軒天見切縁４０の一端に挿入することにより一体化されている。これにより、特別な工具等を用いることなく両者を一体化することができ、施工も容易である。
【００６１】
本実施形態では、長尺状の軒天見切縁３０のみが見切縁取付部材２０に挟持され、Ｌ字状の軒天見切縁４０は見切縁取付部材２０によって挟持されていない。また、見切縁取付部材２０は、Ｌ字状の軒天見切縁４０が長尺状の軒天見切縁３０上をスライド移動した際にも接触しない位置にのみ配置されている。これにより、Ｌ字状の軒天見切縁４０端部内に長尺状の軒天見切縁３０端部が挿入された状態で、Ｌ字状の軒天見切縁４０をスライド移動させることが容易になり、施工性が向上する。
【００６２】
本実施形態では、Ｌ字状の軒天見切縁４０の端部に長尺状の軒天見切縁３０の端部が挿入されている。すなわち、Ｌ字状の軒天見切縁４０が外側、長尺状の軒天見切縁３０が内側となるように両者が一体化されている。このため、Ｌ字状の軒天見切縁４０が長尺状の軒天見切縁３０上をスライド移動しても、Ｌ字状の軒天見切縁４０における直線部分の外観上の長さは変化しない。これにより、入隅部又は出隅部に配置されているＬ字状の軒天見切縁４０における両直線部分の外観上の長さを等しくすることができ、見栄えをよくすることができる。
【００６３】
［第３実施形態］
次に本発明を具体化した第３の実施形態について、図９及び図１０を用いて説明する。図９は第３実施形態に係る軒天見切縁の取り付け部を軒の下方からの斜視図、図１０は第３実施形態に係る軒天見切縁の取付構造を示す断面図である。
【００６４】
本実施形態では、軒天見切縁１３０に下面板部１３３に換気孔１３５が形成されている点が、第１実施形態と異なるが、他は第１実施形態と同様である。図９に示されているように、軒天見切縁１３０の下面板部１３３に形成されている換気孔１３５は長方形状であり、軒天見切縁１３０の長手方向に複数個形成されている。また、図１０に示されているように、この換気孔１３５は、軒天見切縁１３０の下面板部１３３における立上部１３４から比較的近い位置に形成されている。より具体的には、下面板部１３３の立上部１３４からの距離が、見切縁取付部材２０の側面板部２１と第１及び第２下面板部２４，２５間の屈曲部先端との水平方向の距離よりも小さくなるような位置に形成されている。
【００６５】
軒天見切縁１３０に換気孔１３５を設けることにより、軒天板１１の上方の空間である軒天裏空間の換気を行うことができる。また、この換気孔１３５は、下面板部１３３の立上部１３４から比較的近い位置に形成されている。これにより、換気孔１３５から流入した空気を、軒天板１１と外壁１３との間の隙間を経由して軒天裏空間に流入させることが容易となる。特に、この換気孔１３５は、下面板部１３３の立上部１３４からの距離が、見切縁取付部材２０の側面板部２１と第１及び第２下面板部２４，２５間の屈曲部先端との水平方向の距離よりも小さくなるような位置に形成されている。これにより、見切縁取付部材２０と重なっている部分においても、換気孔１３５から流入した空気を、見切縁取付部材２０の第１下面板部２４の傾斜に沿って軒天板１１と外壁１３との間の隙間に導くことが可能となる。
【００６６】
［他の実施形態］
なお、本発明は上記実施の形態の記載内容に限定されず、例えば次のように実施しても良い。
【００６７】
上記各実施形態では、見切縁取付部材２０の下面板部２３は、第１から第３下面板部２４〜２６で上下方向に屈曲して形成された。しかし、見切縁取付部材２０の第１から第３下面板部２４〜２６を上面板部２２と同様に水平方向にのみ張り出すように形成してもよい。この場合においても、特別の工具を用いることなく、軒天板１１、見切縁取付部材２０及び軒天見切縁３０を一体化することが可能であり、施工が容易になるという上記各実施形態と同様の作用効果を奏する。
【００６８】
上記各実施形態では、軒天見切縁３０の上面板部３２と下面板部３３とは、側面板部３１を介して接続された。そして、この側面板部３１は、外壁１３に対して平行面となるように形成された。しかし、上面板部３２と下面板部３３とを接続する面は必ずしも外壁１３と平行面とする必要はない。例えば、断面において、上面板部３２と下面板部３３とを円弧状に接続するような形状としてもよい。
【００６９】
また、軒天見切縁３０の上面板部３２が軒天板１１と見切縁取付部材２０の下面板部２３との間で挟持された状態では、軒天見切縁３０の上面板部３２及び下面板部３３は軒天板１１と平行面を形成するものとした。しかし、軒天見切縁３０の下面板部３３は必ずしも軒天板１１と平行面を形成する必要はない。例えば、軒天見切縁３０の下面板部３３を傾斜もしくは湾曲した形状としてもよい。
【００７０】
上記各実施形態では、軒天見切縁３０及び見切縁取付部材２０は、塩ビ鋼板で形成された。しかし、軒天見切縁３０及び見切縁取付部材２０は他の材料で形成してもよい。例えば、塩ビ鋼板以外の合成樹脂板又はアルミニウム、ステンレス等の金属鋼板で形成してもよい。
【００７１】
上記各実施形態では、見切縁取付部材２０は、側面板部２１、上面板部２２及び下面板部２３で形成された。そして、その上面板部２２と下面板部２３との間で軒天板１１及び軒天見切縁３０の上面板部３２を挟持することにより、軒天見切縁３０を軒天板１１に取り付けた。しかし、軒天見切縁３０を軒天板１１に取り付けるための見切縁取付部材２０の形状及び取付構造はこれに限られるものではない。例えば、単なる板状部材の一端を軒天板１１下面の外壁１３側端部にビス等で固定するものでもよい。また、Ｌ字状に屈曲させた板状部材の一面を軒天板１１の下面に当接させ、他面を軒天板１１の外壁１３と対向する端面にビス等で固定するものでもよい。この場合であっても、見切縁取付部材２０を軒天板１１にビス等で固定する必要は生じるものの、軒天見切縁３０を軒天板１１と見切縁取付部材２０との間で挟持することが可能である。したがって、特別の工具等を用いることなく軒天見切縁３０を軒天板１１に取り付けることができ、施工が容易となる。
【００７２】
第１実施形態では、軒天板１１、軒天見切縁３０及び見切縁取付部材２０の寸法を挙げて説明した。しかし、これらの寸法は単なる一例であり、これらの寸法に限定されない。例えば、第１実施形態においては、見切縁取付部材２０の第２及び第３下面板部２５，２６間の屈曲部先端と上面板部２２との間の自然状態における内寸法は軒天板１１の板厚よりも大きく設定された。しかし、見切縁取付部材２０の第２及び第３下面板部２５、２６間の屈曲部先端と上面板部２２との間の自然状態における内寸法を、軒天板１１の板厚よりも若干小さく設定してもよい。このように寸法を設定することにより、見切縁取付部材２０の上面板部２２と下面板部２３との間に軒天板１１のみが配置された状態において、軒天板１１を見切縁取付部材２０に挟持させることができる。これにより、見切縁取付部材２０が取り付けられた軒天板１１を軒裏に固定する際に、隣り合う見切縁取付部材２０の配置間隔がずれたり、もしくは見切縁取付部材２０が軒天板１１から落下したりすることを抑止することができる。
【００７３】
上記各実施形態においては、軒天見切縁３０は軒天板１１と見切縁取付部材２０の下面板部２３との間で挟持された。しかし、軒天見切縁３０を軒天板１１と見切縁取付部材２０の下面板部２３との間で挟持するのではなく、見切縁取付部材２０の反外壁側端部に係止する構成としてもよい。この構成においても、高さ及び水平方向の精度が要求されないという点において、上記各実施形態と同様の効果を奏する。また、より簡易に軒天見切縁３０を取り付けることもできる。なお、軒天見切縁３０を見切縁取付部材２０の下面板部２３に係止した後、軒天見切縁３０をビス、クギ等で軒天板１１又は見切縁取付部材２０に固定してもよい。これにより、軒天見切縁３０の取付状態を安定化することができる。
【００７４】
第１実施形態においては、見切縁取付部材取付工程を行い、軒天板固定工程を行った後に、軒天見切縁取付工程が行われた。しかし、施工手順は上記に限定されるものではない。すなわち、見切縁取付部材取付工程を行い、軒天見切縁取付工程を行った後に、軒天板固定工程を行ってもよい。この施工手順においても、位置出し精度を要求されず、特別な工具を用いることなく軒天見切縁３０を取り付けることができるという上記実施形態と同様の効果を奏する。さらに、このような手順で施工することにより、軒天見切縁３０の上面板部３２を軒天板１１と見切縁取付部材２０の下面板部２３との間に挿入する作業を上向きで行う必要もなくなり、作業性をより向上させることが可能となる。
【００７５】
第２実施形態では、第１軒天見切縁取付工程を行った後に第２長尺状軒天見切縁挿入工程が行われた。しかし、施工手順はこれに限られるものではない。すなわち、まず、第１長尺状軒天見切縁挿入工程及び第２長尺状軒天見切縁挿入工程を連続して行い、その後、Ｌ字状の軒天見切縁４０の両端に長尺状の軒天見切縁３０が挿入された状態で、第１軒天見切縁取付工程及び第２軒天見切縁取付工程を連続して行うようにしてもよい。
【００７６】
第２実施形態においては、２つの面がほぼ直交しているような入隅部及び出隅部における適用例を説明した。しかし、２つの面が直交状態にない入隅部及び出隅部においても、その交差角度に対応した軒天見切縁を長尺状の軒天見切縁３０と併用することにより、第２実施形態と同様に適用が可能である。すなわち、２つの交差面の交差角度に対応した略Ｌ字状の軒天見切縁と長尺状の軒天見切縁３０とを併用することで、第２実施形態と同様に適用が可能となる。また、入隅部及び出隅部の交差部が滑らかに円弧状に交わるような場合においても、それに対応した略Ｌ字状の軒天見切縁を用いることで同様に適用可能である。
【００７７】
第３実施形態では、長尺状の軒天見切縁３０に換気孔を形成した。しかし、換気孔は、長尺状の軒天見切縁３０のみでなく、Ｌ字状の軒天見切縁４０に形成することも可能である。
【図面の簡単な説明】
【００７８】
【図１】第１実施形態に係る建物における軒天板の取付構造を概略的に示す断面図。
【図２】図１における軒天板の見切部分を軒の下方から見た一部分解斜視図。
【図３】図１における軒天板の見切部分の拡大図。
【図４】第１実施形態に係る軒天見切縁を取り付ける際の施工手順を概念的に示す断面図。
【図５】第１実施形態に係る見切縁取付部材が取り付けられた軒天板を外壁が対向する軒裏に固定した状態を概略的に示す断面図。
【図６】第２実施形態に係る軒裏における下方からの斜視図。
【図７】第２実施形態に係る軒天見切縁の一部分解斜視図。
【図８】第２実施形態に係る軒天見切縁を取り付ける際の施工手順を概略的に示す図。
【図９】第３実施形態に係る軒天見切縁の取り付け部を軒の下方からの斜視図。
【図１０】第３実施形態に係る軒天見切縁の取付構造を示す断面図。
【符号の説明】
【００７９】
１１…軒天板、１３…外壁、２０…見切縁取付部材、２１…側面板部、２２…上面板部、２３…下面板部、２４…第１下面板部、２５…第２下面板部、２６…第３下面板部、３０…軒天見切縁、３１…側面板部、３２…上面板部、３３…下面板部、３４…立上部。
【図１】
0004828260.tif 000002
【図２】
0004828260.tif 000003
【図３】
0004828260.tif 000004
【図４】
0004828260.tif 000005
【図５】
0004828260.tif 000006
【図６】
0004828260.tif 000007
【図７】
0004828260.tif 000008
【図８】
0004828260.tif 000009
【図９】
0004828260.tif 000010
【図１０】
0004828260.tif 000011